(57)【要約】【課題】  使用済みの手袋を自らの手を使うことなく、また第三者の介助を得ることなく、簡単に衛生的に取り外すことができる手袋脱却装置を提供することである。【解決手段】  手袋脱却装置は、手挿入筒２の上部に、手と手袋の間に挿入して手袋を押し広げるための開閉爪部材２０，２０ａが設けられており、手挿入筒２の下方には、手挿入筒２の内部に挿通された手袋収納チューブ３０を引き出すための手袋収納チューブ移送手段４と手袋収納チューブシール手段３が設けられている。また手袋収納チューブ移送手段４の下方には、使用済み手袋を密封した手袋収納チューブ３０を収容する回収ボックス５が設けられている。手挿入筒２の外側には手袋収納チューブ３０が挿通され、その先端部は、手挿入筒２の内側を挿通して手袋収納チューブ移送手段４により所定長さ引き出される。【選択図】          図３
2005160628.tif 000002
【特許請求の範囲】
【請求項１】
手に装着した手袋を脱却する装置であって、
手と手袋の間に挿入して手袋を押し広げるための開閉爪部材；
前記開脚爪部材の下方に設けられる手挿入筒；
前記手挿入筒の下方に設けられ、該手挿入筒の内部に挿通される手袋収納チューブを引き出すための手袋収納チューブ移送手段；
前記手挿入筒から引き出された手袋収納チューブを、前記手袋を収納した状態でシールするための手袋収納チューブシール手段；
前記シールされた手袋収納チューブを収容する回収ボックス；
を備えたことを特徴とする手袋脱却装置。
【請求項２】
前記開閉爪部材は、一対の爪部材が手の平に沿った手幅方向に開閉することを特徴とする請求項１に記載の手袋脱去装置。
【請求項３】
前記一対の爪部材は、前記手挿入筒の上方に配置されたスライドガイドに設置され、爪部材開閉ペダルとワイヤを介して連動する開閉機構により開閉することを特徴とする請求項２に記載の手袋脱却装置。
【請求項４】
前記手袋収納チューブ移送手段は、一対の駆動ローラと従動ローラを上段と下段に配置し、従動ローラ側を開閉可能に構成したことを特徴とする請求項１に記載の手袋脱却装置。
【請求項５】
前記手袋収納チューブシール手段は、上段側の駆動・従動ローラと、下段側の駆動・従動ローラの間に設置することを特徴とする請求項４に記載の手袋脱去装置。
【請求項６】
前記手挿入筒の外側に、手袋収納チューブを挿通し、該手袋収納チューブの先端部を前記手挿入筒の内部側に引き込んで該手挿入筒の下方から引き出し、前記手袋収納チューブ移送手段に送り込むように構成すること特徴とする請求項１に記載の手袋脱去装置。
【発明の詳細な説明】
【技術分野】
【０００１】
本発明は、手に装着した手袋を他人の介助を得ないで、簡単かつ衛生的に取り外すことができ、しかも取り外した手袋を個々に連続的に収納チューブに密封することができる手袋脱却装置に関するものである。
【背景技術】
【０００２】
病院等の医療従事者、放射線物質の取扱者、薬品の取扱者等が使用する使い捨て手袋は、表面に汚物、細菌類、毒物、汚染物等が付着しているため、作業終了後は、手袋表面に素手が接触しないように注意を払いながらその手袋を取り外す必要がある。
【０００３】
たとえば、手術用の手袋は、一般に薄手のゴム手袋が使用されており、医師が手術中に触診等の微妙な感触が要求されるため、手と手袋の間に気泡が入り込まないように、手と密着させて装着している。
【０００４】
このようなゴム手袋を手術後に取り外すときは、自分で一方の手を使って交互に取り外すか、看護師等の第三者の介助を得て取り外しているが、いずれにしてもゴム手袋を手から引き剥がすようにして取り外さなければならないため、作業が面倒であるばかりか、ゴム手袋の表面に付着した体液や汚物が素手に付いたり、周囲に飛散するなどして不衛生である。
【０００５】
従来の手術用ゴム手袋には、手と直接接触する内面に滑石等の微粉末を塗布して滑りやすくしたものが市販されているが、手から手袋を取り外す方法は上述と同じであり、手袋に付着した体液や汚物が素手と接触する危険性がある。このため、下記特許文献１で提案されたような手袋脱去装置も開発されている。この装置は、本体ボックスの上部に設けられた手挿入口の近くにフック状の手袋離脱部材を設け、本体ボックス内の下部に手袋回収ボックスを配置して、この手袋回収ボックス内に使い捨て手袋収納袋を収納している。そして、手袋の袖口側端部を手袋離脱部材に引っ掛けて手袋を手から取り外し、取り外した手袋を、本体ボックスの下部に設けた手袋回収ボックス内の手袋収納袋に落下させ、所定枚数の手袋を収納した手袋収納袋の上端部をシールし、手袋収納袋ごと回収業者に引き渡すようにしたものである。
【０００６】
【特許文献１】特開２００２-３３６２７１号
【発明の開示】
【発明が解決しようとする課題】
【０００７】
上記特許文献1に記載の手袋脱去装置は、手袋を自らの手を使用することなく、また他人の介助を得ないで取り外すことができるが、一枚の手袋収納袋に様々な用途の使用済み手袋を収納するため、例えば感染力の強いウイルスや劇薬等の危険物が付着した手袋なども一緒に混入する可能性もある。この手袋収納袋は所定枚数の手袋を収納した後、シールされるものの、それまでの間、ウイルスや劇薬品等の危険物質が袋内部から装置外部に飛散する危険性もあり、また、回収業者等が何らかの目的で手袋収納袋を開封した際に、それら危険物質に接触する危険性もある。さらに、手袋を手から取り外すための手袋脱去機構や手袋収納袋のシール機構等も、機能的、機構的、コスト的な面から改良すべき問題点があった。
【０００８】
本発明は上述したような課題を解決するために提案されたものである。即ち、本発明は使用済みの手袋を自らの手を使うことなく、また第三者の介助を得ることなく、簡単に衛生的に取り外すことができる手袋脱却装置を提供することである。
【０００９】
また本発明は、取り外した使用済み手袋を、手袋収納チューブに連続的に個々に密封することができ、その手袋収納チューブを衛生的に回収することができるようにした手袋脱却装置を提供することである。
【００１０】
さらに本発明は、使用済み手袋の手からの取り外し、該手袋を収納する手袋収納チューブの送り出し、該手袋収納チューブのシール、及び該シール済み手袋収納チューブの回収を、簡単な機構で連続的に行えるような手袋脱却装置を提供することである。さらに本発明は、取り扱いが簡単で、安価に製造することができ、移動も容易な手袋脱却装置を提供することである。
【課題を解決するための手段】
【００１１】
上記課題を解決するため、本発明の手袋脱却装置は、
手と手袋の間に挿入して手袋を押し広げるための開閉爪部材；
前記開閉爪部材の下方に設けられる手挿入筒；
前記手挿入筒の下方に設けられ、該手挿入筒の内部に挿通される手袋収納チューブを引き出すための手袋収納チューブ移送手段；
前記手挿入筒から引き出された手袋収納チューブを、前記手袋を収納した状態でシールするための手袋収納チューブシール手段；
前記シールされた手袋収納チューブを収容する回収ボックス；
を備えたことを特徴とする。
【００１２】
前記爪部材の形状は特に限定されるものではないが、手と手袋の間に安全に挿入しやすいように先端部を丸くしたプレート状となっている。この爪部材は両手に装着した手袋を同時に脱却できるように、左右両側に設けられており、このためには全体を下向きのコ字形状とするのが構成的に簡単である。
【００１３】
前記開閉爪部材は、一対の爪部材が手の平に沿った手幅方向に開閉するものであり、例えば前記一対の爪部材を、前記手挿入筒の上方に配置されたスライドガイドに開閉可能に設置し、爪部材開閉ペダルとワイヤを介して連動する開閉機構により開閉することができる。開閉爪部材の開閉機構は、モータ等の駆動装置により電気的に開閉するようにしてもよい。
【００１４】
前記手袋収納チューブ移送手段は、ローラ等の挟持装置により手袋収納チューブを挟んで移動させる機構であれば特に限定されないが、一例として、一対の駆動ローラと従動ローラを上段と下段に配置し、従動ローラ側を開閉可能に構成することができる。これにより、手袋収納チューブ移送手段への手袋収納チューブの装着を容易に行うことができる。また、前記手袋収納チューブシール手段を、上段側の駆動・従動ローラと、下段側の駆動・従動ローラの間に設置することにより、手袋収納チューブのシール部の上下を押さえた状態で確実にシールすることができ、しかも手袋収納チューブ移送手段及びシール手段の構成を簡素化することができる。
【００１５】
使用済みの手袋を密封収納する手袋収納チューブは、ポリプロピレン系樹脂等の柔軟性のある合成樹脂で造られており、筒芯の外側に蛇腹状に折り畳まれた状態で、数ｍから数十ｍの長さで挿通されている。この手袋収納チューブは、筒芯を前記手挿入筒の外側に挿通し、該手袋収納チューブの先端部を前記手挿入筒の内部側に引き込んで該手挿入筒の下方から引き出し、前記手袋収納チューブ移送手段に送り込んでいる。このような手袋収納チューブは、手挿入筒への取り付け、手袋収納チューブ移送手段への取り付け等が簡単で、安価に量産することができる。なお、手袋収納チューブはサプライ品として別製造される。
【発明の効果】
【００１６】
上述した請求項１の発明によれば、手に装着した使用済みの手袋を自らの手を使うことなく、また第三者の介助を得ることなく、簡単に衛生的に取り外すことができる。また取り外した使用済み手袋を手袋収納チューブに連続的に個々に密封することができるため、使用済み手袋が外気に晒される時間が短なり、きわめて衛生的に回収することができる。
【００１７】
さらに請求項２から請求項６の発明によれば、前記請求項１の発明の効果に加え、使用済み手袋の手からの取り外し、該手袋を収納した手袋収納チューブの送り出し、該手袋収納チューブのシール、及び該シール済み手袋収納チューブの回収を、簡単な機構で連続的に行なうことができる。また、取り扱いが簡単で、安価に製造することができ、移動も容易である。
【発明を実施するための最良の形態】
【００１８】
以下本発明の最良の実施形態を添付図面に従って説明する。図１は本発明の手袋脱却装置の内部構造を示す側面図、図２は同じく正面図、図３は内部構造の主要装置を示す概略図である。
【００１９】
本発明の手袋脱却装置は、本体ボックス１の内部に、大別して手挿入筒２、使用済み手袋を収納する手袋収納チューブのシール機構(手段)３、手袋収納チューブ移送機構（手段）４及び手袋収納チューブ回収ボックス５が設けられている。
【００２０】
前記本体ボックス１は、上面部が天板１０で覆われており、図１及び図２に示すように、本体ボックス１のフロント上部板１４ａの内部下端部から延出している天板開閉レバー１７により開閉することができる。即ち、図２に示すように、該天板開閉レバー１７を回動させると、系合片１７ａと系合する回転片１５が回転する。該回転片１５には、クランク１８とクランク１９の一端部が連結されており、回転片１５は、クランク１８に付いたスプリング１８ａに抗して回転し、クランク１９を変位させてその先端部に設けられた系止爪１９ａが天板１０側の系止部材（図示せず）を解除し、スプリング力が付勢された天板１０が図１に示すように上方に開くようになっている。
【００２１】
また、前記本体ボックス１の前記手袋収納チューブ回収ボックス５に対応する位置にはフロントドア１４が開閉可能に設けられている。さらに本体ボックス１の頂面部にはカウンタ表示部、消毒スイッチ、シールスイッチが付いている操作パネル１２が設けられている。なお、本体ボックス１の底部にはキャスタ１３，１３が設けられており、容易に移動が可能になっている。
【００２２】
前記本体ボックス１の天板１０を開けた状態の上面板１４ｂ（図２参照）には、手挿入口１１が開口されており、その手挿入口１１の下方に前記手挿入筒２が支持フレーム２４(図１及び図３参照)により支持固定されている。この手挿入筒２の開口側には図３に示すように、一対の開閉爪部材２０,２０ａがスライド可能に設けられ、一方の爪部材２０ａが上方に、他方の爪部材２０が下方に移動するようになっている。
【００２３】
即ち、前記手挿入口１１には、直径方向（図２に示す手挿入口１１の上下方向）にスライドガイド２２が設けられており、該スライドガイド２２に、前記開閉爪部材２０，２０ａを固定する支持片２５，２５ａ（図１及び図３参照）がスライド可能に装着されている。それぞれの爪部材２０,２０ａは、全体が下向きコ字形状をしており、スライドガイド２２を中央にして左右両端部が下方に延びるような形態で設置されている。
【００２４】
前記開閉爪部材２０，２０ａは、未使用時に閉じた状態となるように図示しないスプリングにより付勢されており、使用時に本体ボックス１の下部に設けられた爪部材開閉ペダル２３を踏み下げると、上下方向に開くことになる。前記爪部材開閉ペダル２３は、図1に示すように、アーム２３ａと支持フレーム２３ｂの間に設けられたスプリング２３ｃにより弾性的に上下動可能となっている。またアーム２３ａに連結したワイヤ１６が本体ボックス１の内部を通って上部まで延長され、プーリ２６（図１及び図３参照）等を介して開閉爪部材２０，２０ａを固定する支持片２５,２５ａと連結されている。そして、爪部材開閉ペダル２３を踏んでワイヤ１６を引くことにより、支持片２５，２５ａ及びこれに固定される爪部材２０，２０ａが互いに逆方向に移動するように構成されている。なお、手挿入筒２の下端部には後述する手袋収納チューブのガイド部２ａが設けられている。
【００２５】
前記本体ボックス１内の手挿入筒２の近くには、消毒スプレイ装置２１が設けられている。該消毒スプレイ装置２１は、図３に示すように、カセット式の消毒液スプレイ容器２１ａと、このスプレイ容器２１ａの噴出口ヘッド部を圧縮する圧縮装置２１ｂと、スプレイ容器２１ａの噴出口ヘッド部に接続されるチューブ２１ｃから成っており、該チューブ２１ｃは、前記開閉爪部材２０,２０ａの近くに設けられた消毒液噴出口(図示せず)と通じている。そして、操作パネル１２の消毒スイッチを押すと、圧縮装置１２ｂが作動してスプレイ容器２１ａの噴出口ヘッド部を圧縮し、スプレイ容器２１ａ内の消毒液がチューブ２１ｃを通って開閉爪部材２０,２０ａにおける手との接触面（手袋を脱却するときに手袋装着者の手と直接接触する外面部）に向かって噴出する。
【００２６】
また、前記手挿入筒２の外側にはポリプロピレン系樹脂等の合成樹脂製の手袋収納チューブ３０が装着されている。該手袋収納チューブ３０は、筒芯３１の外側に蛇腹状に折畳んで挿通されている。そして、手袋収納チューブ３０の先端部は、手挿入筒２の内側に引き込まれ、下端ガイド部２ａから引き出され、後述の手袋収納チューブ移送機構４に送り出される。
【００２７】
前記手袋収納チューブ移送機構４は、図３に示すように、固定ローラケース４５に枢着された駆動側の上下ローラ４０,４０ａと、開閉ローラケース４６に枢着された従動側の上下ローラ４１,４１ａから構成されており、開閉ローラケース４６は図１及び図３に示すように、固定ローラケース４５に対して開閉可能に構成されている。前記駆動側ローラ４０，４０ａは、回転駆動装置４２とギヤチェーン４２ａを介して連結されており、従動側ローラ４１，４１ａは、スプリング４３、４３ａにより駆動側ローラ４０，４０ａに圧接され、駆動側ローラ４０,４０ａの回転に従動して回転する。
【００２８】
前記手袋収納シール機構３は、図３に示すように、前記駆動側及び従動側の一対の上段側ローラ４０，４１と下段側ローラ４０ａ，４１ａの間に配置されている。該シール機構３は、固定シールヘッダ５０と可動シールヘッダ５０ａから構成され、操作パネル１２のシールスイッチを押すと、シールヘッダ駆動装置５１(図１参照)が作動して可動シールヘッダ５０ａが固定シールヘッダ５０側に移動し、これらシールヘッダ５０，５０ａの間に挟まれた手袋収納チューブ３０がシールされる。
【００２９】
前記手袋収納チューブ回収ボックス５は、前記手袋収納チューブ移送機構４の下方に配置され、スライドレール５ａに沿って前後方向に移動可能になっている。該手袋収納チューブ回収ボックス５には、内部に使用済みの手袋を密封した手袋収納チューブ３０が、前記手袋収納チューブ移送機構４の下段側ローラ４０ａ，４１ａから連続的に送り出される。
【００３０】
その他、図面において６０はフロントドア１４のロック用ラチェットハンドル、６１は本体ケース１の外側に設けられた持ち運び用の把手、６２はトランス、２３は操作回路部である。
【００３１】
次に、上述した本発明の手袋脱却装置の使用例を説明する。まず、筒芯３１に装着された手袋収納チューブ３０を手挿入筒２の外側に挿入し、手袋収納チューブ３０の先端部を手挿入筒２の内側に通してガイド部２ａから下方に引き出す。また開閉ローラケース４６を手前に開き、駆動ローラ４０，４０ａに前記手袋収納チューブ３０を沿わせ、開閉ローラケース４６を閉じて駆動ローラ４０，４０ａと従動ローラ４１,４１ａの間に手袋収納チューブ３０を挟みこむ。
【００３２】
その後、操作パネル１２のシールスイッチをＯＮにすると、シール機構３の可動シールヘッダ５０ａが固定シールヘッダ５０側に移動し、その間に挟まれた手袋収納チューブ３０をシールすると同時に、駆動ローラ４０，４０ａと従動ローラ４１，４１ａが回動して手袋収納チューブ３０が所定長さ送り出される。この状態を確認した後、フロントドア１４を閉じ、準備作業が終了する。
【００３３】
この手袋脱却装置により使用済み手袋Ｈを手から取り外すときは、ゴム手袋Ｈを装着した左右両手を手挿入口１１から手挿入筒２に入れた後、手の平を向かい合わせるようにして、手袋の袖口端部から開閉爪部材２０,２０ａを差し込む。このとき、開閉爪部材２０,２０ａの外面が両手の手の平側に接触する。
【００３４】
その後、開閉ペダル２３を踏むと、上述したようにワイヤ１６、プーリ２６等を介して開閉爪部材２０,２０ａがスライドガイド２２に沿って上下方向（手の平側に沿った手幅方向）に開き、弾力性のあるゴム手袋の手首側を押し広げる。この状態で手をゴム手袋から引き抜き、開閉ペダル２３から足を離すと開閉爪部材２０，２０ａは閉じ、開閉爪部材２０，２０ａに引っ掛った左右のゴム手袋は、手袋収納チューブ３０が挿通している手挿入筒２の内部に落下する。なお、ここでは両手のゴム手袋を同時に取り外す場合を説明しているが、片方ずつゴム手袋を取り外してもよい。
【００３５】
その後、操作パネル１２の消毒スイッチをＯＮにして消毒スプレイ装置２１から消毒液を噴出させ、開閉爪部材２０,２０ａを消毒する。また、シールスイッチをＯＮにすると、手袋収納チューブ移送機構４の回転駆動装置４２が作動し、駆動ロール４０,４０ａ及び従動ロール４１,４１ａが回動して、使用済みゴム手袋を納めた手袋収納チューブ３０が手挿入筒２から引き出される。この場合、手袋収納チューブ３０は、回転駆動装置４２の回転数を制御することによって、内部に納められたゴム手袋が、少なくともシール機構３を通過する長さだけ引き出される。
【００３６】
手袋収納チューブ移送機構４の回転駆動装置４２が停止した後、自動的にシールヘッダ駆動装置５１が作動し、可動シールヘッダ５０ａと固定シールヘッダ５０に挟まれた手袋収納チューブ３０の幅方向がシールされる。これにより所定長さの手袋収納チューブ３０の上端部と下端部がシールされ、その内部に使用済み手袋が密封されることになる。
【００３７】
このようにして、使用済み手袋を密封した手袋収納チューブ３０が連続的に移送機構４から送り出され、回収ボックス５に収納される。この回収ボックス５は、手袋収納チューブ３０の全長分を回収する容積を有しており、１本の手袋収納チューブ３０を使い切ったとき、フロントドア１４を開けて回収ボックス５を引き出し、使用済み手袋を密封した手袋収納チューブ３０が回収される。その後、上述のように新しい手袋収納チューブ３０が手袋挿入筒２に取り付けられ、手袋脱却が再開される。なお、手袋収納チューブシール機構３にカッターを設け、操作パネル１２のカウンターで所定枚数の使用済み手袋の回収を確認した後、手袋収納チューブ３０のシール部を切断するようにしてもよい。
【図面の簡単な説明】
【００３８】
【図１】本発明の手袋脱却装置の内部構造を示す側面図である。
【図２】本発明の手袋脱却装置の内部構造を示す同じく正面図である。
【図３】本発明の手袋脱去装置の内部構造の主要装置を示す概略図である。
【符号の説明】
【００３９】
１は本体ボックス
２は手挿入筒
３は手袋収納チューブシール機構（手段）
４は手袋収納チューブ移送機構
５は手袋収納チューブ回収ボックス
１０は天板
１１は手挿入口
１２は操作パネル
１３はキャスタ
１４はフロントドア
２０，２０ａは開閉爪部材
２１は消毒スプレイ装置
２２はスライドガイド
２３は爪部材開閉ペダル
３０は手袋収納チューブ
３１は筒芯
４０，４０ａは駆動ローラ
４１,４１ａは従動ローラ
４２は回転駆動装置
４２ａはギヤチェーン
４３はスプリング
４５，４６はローラケース
５０，５０ａはシールヘッダ
５１はシールヘッダ駆動装置
【図１】
2005160628.tif 000003
【図２】
2005160628.tif 000004
【図３】
2005160628.tif 000005